(57)【要約】【課題】腰痛、肩こり、手足の冷えなどの緩和、治療などにより効果を発揮することができる瓦用粘土を用いた温浴盤を提供する。【解決手段】瓦用粘土を用いた温浴盤１０は、瓦に用いる粘土で板状に形成されており、自然の山の土と田畑の土をブレンドしたものであり、成分は、シリカ、アルミナ、酸化鉄、酸化カルシウム、酸化マグネシウム、酸化ナトリウム、酸化カリウムで形成されている。第１の面１０ａの凹状は、足の裏、アキレス腱、ふくらはぎ、膝の裏、太もも、鼠蹊部、腹、腰、背中、肩、首、及び顔の形状に対応するように形成されている。瓦用粘土を用いた温浴盤１０は、電子レンジを用いて、例えば、略５００Ｗの熱量で略２分間温められた状態で、足の裏、アキレス腱、ふくらはぎ、膝の裏、太もも、鼠蹊部、腹、腰、背中、肩、首、及び顔を温浴しリンパを流すことができるように形成されている。【選択図】図１
0003224276.tif 000002
【実用新案登録請求の範囲】
【請求項１】
板状、球状、円筒状または円柱状であり、
瓦に用いる粘土で形成されていることを特徴とする瓦用粘土を用いた温浴盤。
【請求項２】
前記粘土は、自然の山の土と田畑の土をブレンドしたものであり、土の成分は、シリカ、アルミナ、酸化鉄、酸化カルシウム、酸化マグネシウム、酸化ナトリウム、酸化カリウムで形成されており、
前記粘土を予め定められた時間及温度で、窯の中で焼いたものであることを特徴とする請求項１に記載の瓦用粘土を用いた温浴盤。
【請求項３】
前記板状は、側面と前記側面を介した第１の面と第２の面を有する前記瓦に用いる粘土で形成されており、
前記第１の面は凹状に形成されており、前記第２の面は、前記第１の面と略平行に凸状に形成されていることを特徴とする請求項２に記載の瓦用粘土を用いた温浴盤。
【請求項４】
前記第１の面の凹状は、足の裏、アキレス腱、ふくらはぎ、膝の裏、太もも、鼠蹊部、腹、腰、背中、肩、及び顔の形状に対応するように形成されていることを特徴とする請求項３に記載の瓦用粘土を用いた温浴盤。
【請求項５】
前記板状の大きさは、第１の形状、及び第２の形状を有し、前記第１の形状の縦の長さ、横の長さ、及び厚さは、略２１０ｍｍ、略１３０ｍｍ及び２０ｍｍであり、前記第２の形状の縦の長さ、横の長さ、及び厚さは、略１７５ｍｍ、略８０ｍｍ及び２０ｍｍであり、
前記第１の形状は、電子レンジを用いて略５００Ｗの熱量で略２分間温められた状態で、前記足の裏、アキレス腱、ふくらはぎ、膝の裏、太もも、鼠蹊部、腹、腰、背中、肩、及び顔を温浴するように形成されており、
前記第２の形状は、電子レンジを用いて略５００Ｗの熱量で略１分３０秒間温められた状態で、前記足の裏、アキレス腱、ふくらはぎ、膝の裏、太もも、鼠蹊部、腹、腰、背中、肩、及び顔を温浴するように形成されていることを特徴とする請求項４に記載の瓦用粘土を用いた温浴盤。
【請求項６】
前記第１の面の凹状は、首の形状に対応するように形成されていることを特徴とする請求項３に記載の瓦用粘土を用いた温浴盤。
【請求項７】
前記板状の大きさは、第３の形状であり、前記第３の形状の縦の長さ、横の長さ、及び厚さは、略１５０ｍｍ、略６０ｍｍ及び２０ｍｍであり、
前記第３の形状は、電子レンジを用いて略５００Ｗの熱量で略１分３０秒間温められた状態で、前記首を温浴するように形成されていることを特徴とする請求項６に記載の瓦用粘土を用いた温浴盤。
【考案の詳細な説明】
【技術分野】
【０００１】
本考案は、瓦用粘土を用いた温浴盤に関する。
【背景技術】
【０００２】
従来より、腰痛、肩こり、手足の冷えなどの疾患は、主に血行不良に起因するものであり、このような疾病の治療として温熱、温浴なども採用されており、温熱、温浴などを効果的に行うために、例えば、蓄熱材を使用した温熱治療具などがあり、また適度の温度とともに温泉成分を放出させて人体に作用させる温浴具が開示されている。
【先行技術文献】
【特許文献】
【０００３】
【特許文献１】特開２００１−１１２８０８
【考案の概要】
【考案が解決しようとする課題】
【０００４】
従来の温熱、温浴などにおける腰痛、肩こり、手足の冷えなどの緩和、治療は、充分なものといえず、より効果的なものが求められていた。本考案は、こうした点に鑑みてなされたものであり、腰痛、肩こり、手足の冷えなどの緩和、治療などにより効果を発揮することができる瓦用粘土を用いた温浴盤を提供するものである。
【課題を解決するための手段】
【０００５】
上記課題を解決するために、本考案に係る瓦用粘土を用いた温浴盤は、板状、球状、円筒状または円柱状であり、瓦に用いる粘土で形成されていることを特徴とする。また、前記板状は、側面と前記側面を介した第１の面と第２の面を有する前記瓦に用いる粘土で形成されている瓦用粘土を用いた温浴盤であって、前記第１の面は凹状に形成されており、前記第２の面は、前記第１の面と略平行に凸状に形成されていることが好ましい。
【０００６】
本考案に係る瓦用粘土を用いた温浴盤の態様について、前記粘土は、自然の山の土と田畑の土をブレンドしたものであり、土の成分は、シリカ、アルミナ、酸化鉄、酸化カルシウム、酸化マグネシウム、酸化ナトリウム、酸化カリウムで形成されており、前記粘土を予め定められた時間及温度で、窯の中で焼いたものであることが好ましい。
【０００７】
本考案に係る瓦用粘土を用いた温浴盤の態様について、前記第１の面の凹状は、足の裏、アキレス腱、ふくらはぎ、膝の裏、太もも、鼠蹊部、腹、腰、背中、肩、及び顔の形状に対応するように形成されていることが好ましい。また、前記板状の大きさは、第１の形状、及び第２の形状を有し、前記第１の形状の縦の長さ、横の長さ、及び厚さは、略２１０ｍｍ、略１３０ｍｍ及び略２０ｍｍであり、前記第２の形状の縦の長さ、横の長さ、及び厚さは、略１７５ｍｍ、略８０ｍｍ及び略２０ｍｍであり、前記第１の形状は、電子レンジを用いて略５００Ｗから略６００Ｗの熱量で略２分間温められた状態で、前記足の裏、アキレス腱、ふくらはぎ、膝の裏、太もも、鼠蹊部、腹、腰、背中、肩、及び顔を温浴するように形成されており、前記第２の形状は、電子レンジを用いて略５００Ｗの熱量で略１分３０秒間温められた状態で、前記足の裏、アキレス腱、ふくらはぎ、膝の裏、太もも、鼠蹊部、腹、腰、背中、肩、首、及び顔を温浴するように形成されていることが好ましい。
【０００８】
本考案に係る瓦用粘土を用いた温浴盤の態様について、前記第１の面の凹状は、首の形状に対応するように形成されていることが好ましい。また、前記板状の大きさは、第３の形状であり、前記第３の形状の縦の長さ、横の長さ、及び厚さは、略１５０ｍｍ、略６０ｍｍ及び略２０ｍｍであり、前記第３の形状は、電子レンジを用いて略５００Ｗの熱量で略１分３０秒間温められた状態で、前記首を温浴するように形成されていることが好ましい。
【考案の効果】
【０００９】
本考案によれば、腰痛、肩こり、手足の冷えなどの緩和、治療などにより効果を発揮することができる瓦用粘土を用いた温浴盤を提供することができる。さらに、本考案によれば、首のこりの緩和、内臓を温めること、手首、足首、首を温めること、血流及びリンパの流れの緩和などの優れた効果を発揮することができる。
【図面の簡単な説明】
【００１０】
【図１】実施形態の瓦用粘土を用いた温浴盤の一例を示す模式図である。
【図２】実施形態の瓦用粘土を用いた温浴盤の他の例を示す参考図である。
【考案を実施するための形態】
【００１１】
以下、本考案の瓦用粘土を用いた温浴盤の実施形態を、図１を用いて説明する。図１（ａ）は、実施形態の瓦用粘土を用いた温浴盤１０を横から見た一例を示す模式図であり、図１（ｂ）は、実施形態の瓦用粘土を用いた温浴盤１０を一方の面から見た一例を示す模式図であり、図１（ｃ）は、実施形態の瓦用粘土を用いた温浴盤１０を他方の面から見た一例を示す模式図である。図２（ａ）は、瓦用粘土を用いた温浴盤１０において、カーブしているものもあれば平たいもの及び様々な形状のものが可能でありその一例を示す参考図である。図２（ｂ）及び図２（ｃ）は、瓦用粘土を用いた温浴盤の燃焼前の状態を示す参考図であり色は黒であるが燃焼後は赤い色となる。なお、図１及び図２に示す瓦用粘土を用いた温浴盤１０は、一例を示す図でありこれに限定されずカーブしているものもあれば平たいものもあり様々な形状が可能である。
【００１２】
瓦用粘土を用いた温浴盤１０は、図１に示すように、瓦に用いる粘土で板状に形成されており、この板状は、側面１０ｃを介した第１の面１０ａと第２の面１０ｂを有している。例えば、第１の面１０ａは凹状に形成されており、第２の面１０ｂは、第１の面１０ａと略平行に凸状に形成されている。このような形状にすることにより体によりフィットし、より温浴の効果が生じる構成となっている。なお、瓦用粘土を用いた温浴盤１０の上記の形状は一例であり、これらに限定されることなく、カーブしているもの、平たいものなどでもよく、さらに、球状、円筒状、円柱状などでもよく適宜最適な形状にすることができるものである。
【００１３】
上記の粘土は、自然の山の土と田畑の土をブレンドしたものであり、土の成分は、シリカ、アルミナ、酸化鉄、酸化カルシウム、酸化マグネシウム、酸化ナトリウム、酸化カリウムで形成されている。
【００１４】
一例としてこれらの成分の割合は、シリカは６６．４％、アルミナは１９．４％、酸化鉄は３．２３％、酸化カルシウムと酸化マグネシウムと酸化ナトリウムと酸化カリウムは１１％で形成されている。この中でシリカ、アルミナ、酸化鉄は遠赤外線効果があり、また、酸化マグネシウムと酸化カルシウムは、遠赤外線に大きな影響を起こすものである。
【００１５】
また、瓦用粘土を用いた温浴盤１０に用いられる粘土は、予め定められた時間及温度で、窯の中で焼いたものであり、一例として最高温度は略１１３５℃であり、また、燃焼時間は２４時間であり、例えば、最高温度略１１３５℃の連続時間は略４時間である。これは釉薬をかけない純粋な素焼きであり、例えば赤土色である。
【００１６】
瓦用粘土を用いた温浴盤１０の第１の面１０ａの凹状は、例えば、足の裏、アキレス腱、ふくらはぎ、膝の裏、太もも、鼠蹊部、腹、腰、背中、肩、及び顔の形状に対応するように形成されている。上記の板状の大きさは、例えば、第１の形状、及び第２の形状を有しており、第１の形状の縦の長さＬ１、横の長さＬ２、及び厚さＬ３は、略２１０ｍｍ、略１３０ｍｍ及び略２０ｍｍであり、第２の形状の縦の長さＬ１、横の長さＬ２、及び厚さＬ３は、略１７５ｍｍ、略８０ｍｍ及び略２０ｍｍである。また、第１の形状は、電子レンジを用いて略５００Ｗの熱量で略２分間温められた状態で、足の裏、アキレス腱、ふくらはぎ、膝の裏、太もも、鼠蹊部、腹、腰、背中、肩、首、及び顔を温浴するように形成されており、第２の形状は、電子レンジを用いて略５００Ｗの熱量で略１分３０秒間温められた状態で、足の裏、アキレス腱、ふくらはぎ、膝の裏、太もも、鼠蹊部、腹、腰、背中、肩、及び顔を温浴するように形成されている。
【００１７】
上記の形状の瓦用粘土を用いた温浴盤１０は、電子レンジで温められた状態で、タオル、綿などの布で巻いて使用してもよい。通常保温時間は略２０分から略４０分であるが、このように布で巻けば保温時間１時間程度である。なお、温められた瓦用粘土を用いた温浴盤１０の表面温度は、実測の一例として、５３℃、５７．２℃、６２℃などである。
【００１８】
電子レンジで温められた瓦用粘土を用いた温浴盤１０は、足の裏からアキレス腱、ふくらはぎ、膝の裏、太もも、鼠蹊部、腹、腰、背中、肩、首、顔などのリンパを流すという効果を有しており、さらに、体に熱を入れ血流が良くなる、脂肪を柔らかくする、内臓を温めることにより柔らかくなる、アロマをたらすことによりリラックス効果を得る、爽快感を得る、顔、耳などにも使用でき、美容関係、例えば、セルライト、脂肪などを柔らかくすることにも使用できる優れた効果を有している。
【００１９】
また、瓦用粘土を用いた温浴盤１０の第１の面１０ａの凹状は、例えば、首の形状に対応するように形成されている。上記の板状の大きさは、例えば、第３の形状であり、第３の形状の縦の長さＬ１、横の長さＬ２、及び厚さＬ３は、略１５０ｍｍ、略６０ｍｍ及び略２０ｍｍである。また、第３の形状は、電子レンジを用いて略５００Ｗの熱量で略１分３０秒間温められた状態で、首を温浴するように形成されており、首、肩などの凝りをほぐし、首のリンパを流すことができ、目を温めることができ、さらにアロマを1滴たらすと爽快感を増すことができる。なお、上記の形状、電子レンジの使用方法は、一例であり、これらに限定されず適宜最適な形状にしてもよく、また、適宜最適な電子レンジの使用方法にしてもよい。
【００２０】
以上、本考案の有する特徴及び優れた点を上記実施形態に記載したが、本考案は、本願の実用新案登録請求の範囲で使用されている言葉を広く一般的な意味に拡張して実施することができる。
【００２１】
また、本考案の瓦用粘土を用いた温浴盤は、大きさや形状、素材の種類などについては多様な実施形態が可能であり、それらについて本実施形態と異なる形態による実施は、本考案の技術的範囲に含まれる。
【符号の説明】
【００２２】
１０    瓦用粘土を用いた温浴盤
１０ａ  第１の面
１０ｂ  第２の面
１０ｃ  側面
Ｌ１    縦の長さ
Ｌ２    横の長さ
Ｌ３    厚さ
【図１】
0003224276.tif 000003
【図２】
0003224276.tif 000004